(57)【要約】【課題】回転体に対するつまみの取付強度を強くでき、つまみを操作した際のがたつきを防止でき、回転体へのつまみの取付作業が容易な回転式電子部品を提供する。【解決手段】取付部材３０と、回転体６０と、回転体６０と取付部材３０の上部に設置され回転体６０と一体に回転するつまみ２００と、回転体６０と取付部材３０の間に設置され回転体６０の回転に伴なって電気的出力を変化する電気的機能部（摺動子８５等）とを有する。回転体６０の両面から一対の回転軸６１，６３を突出して一方の回転軸６１を取付部材３０に回動自在に軸支する。回転軸６１，６３先端に設けた取付部６７をそれぞれつまみ２００に設けた係合部２１５にスナップイン係合してつまみ２００と回転体６０とを一体化する。【選択図】図１
2007059500.tif 000002
【特許請求の範囲】
【請求項１】
取付部材と、
前記取付部材に対して回転自在に設置される回転体と、
前記回転体と取付部材の上部に設置され前記回転体と一体に回転するつまみと、
回転体と取付部材の間に設置され回転体の回転に伴なってその電気的出力を変化する電気的機能部と、を有し、
前記回転体の両面から一対の回転軸を突出して一方の回転軸を取付部材に回動自在に軸支し、且つこれら一対の回転軸に設けた取付部をそれぞれ前記つまみに設けた一対の係合部に係合することでつまみと回転体とを一体化することを特徴とする回転式電子部品。
【請求項２】
前記つまみは、前記取付部材及び回転体の上部に位置するつまみ本体部と、つまみ本体部の両側部に設けられる一対のつまみ支持部とを具備し、前記つまみ支持部に前記係合部を設け、前記回転体の一対の回転軸の端部に設けた取付部に前記つまみの一対の係合部を前記つまみ支持部を撓ませることでスナップイン係合してつまみと回転体とを一体化することを特徴とする請求項１に記載の回転式電子部品。
【請求項３】
前記取付部は突起であってその先端面を前記つまみから離れる方向に向かって外方に広がるテーパ面とし、一方前記係合部は前記取付部を係合する凹部又は開口であることを特徴とする請求項２に記載の回転式電子部品。
【請求項４】
前記取付部と係合部は、これら取付部と係合部をスナップイン係合していく方向に向かって縦長形状に形成されていることを特徴とする請求項３に記載の回転式電子部品。
【請求項５】
前記回転体には、この回転体を中立位置に自動復帰させるコイルスプリングを内蔵したことを特徴とする請求項１乃至４の内の何れかに記載の回転式電子部品。
【請求項６】
前記コイルスプリングは、前記回転体の電気的機能部を取り付けた面の裏面側に設けた収納部内に収納され、且つ回転体の収納部を設けた面上に設置される押え部材によって収納部から抜け出ないように押えられ、
前記取付部材には前記回転体の外周の外側を通して前記押え部材側に向かって突出して前記押え部材に先端が固定される押え部材固定部が設けられていることを特徴とする請求項５に記載の回転式電子部品。
【請求項７】
前記押え部材固定部には、前記回転体に設けたストッパ当接面に当接させて回転体の回転範囲を規制するストッパ当接部が設けられていることを特徴とする請求項６に記載の回転式電子部品。
【請求項８】
前記回転体の外周面とこの外周面に対向する前記つまみの面との間に、回転体とつまみの回転方向への力に対して両者間を係止する係止部を設けたことを特徴とする請求項１乃至７の内の何れかに記載の回転式電子部品。
【請求項９】
前記係止部は、回転体の上からつまみを被せるように接近して一体化する際に、係止する凹凸によって形成されていることを特徴とする請求項８に記載の回転式電子部品。
【請求項１０】
回転体の両面から突出する一対の回転軸の内の一方の回転軸を取付部材に回動自在に軸支することでこの取付部材に対して回転体を回転自在に設置し、その際同時に回転体と取付部材の間に回転体の回転に伴なってその電気的出力を変化する電気的機能部を設置する工程と、
前記取付部材及び回転体の上部に位置するつまみ本体部と、つまみ本体部の両側部に設けられる一対のつまみ支持部とを具備するつまみを用意し、このつまみの前記つまみ支持部に設けた係合部を、前記回転体の一対の回転軸の端部に設けた取付部に、前記つまみ支持部を撓ませることでスナップイン係合してつまみと回転体とを一体化すると同時に、前記回転体の外周面とこの外周面に対向する前記つまみの面との間にそれぞれ設けた係止部を係合させることで回転体とつまみの回転方向への力に対して両者間を係止する工程と、
を有することを特徴とする回転式電子部品の組立方法。
【発明の詳細な説明】
【技術分野】
【０００１】
本発明は、つまみを回転することでその電気的出力を変化する回転式電子部品及びその組立方法に関するものである。
【背景技術】
【０００２】
従来回転式電子部品の中には、摺接パターンを設けたフレキシブル回路基板の裏面側に設置した取付台からフレキシブル回路基板を貫通して軸を突出し、この軸に回転体を回転自在に取り付け、回転体に取り付けた摺動子を前記摺接パターンに摺接させることでその電気的出力を変化する構造のものがあった（例えば特許文献１参照）。そしてこの回転体の外周面上部には別途人の指等によって操作されるつまみが取り付けられていた。
【０００３】
しかしながら上記従来の回転式電子部品においては、回転体の外周面上部の一点につまみを取り付けていたので、必ずしもその取付強度は強くなく、つまみが回転体から容易に外れてしまったり、つまみを操作する際に回転体に対してがたついてしまったりする恐れがあった。特につまみを人の指で操作し易いようにするために大型化したような場合は上記問題が顕著になる。
【特許文献１】特開２００５−１９８４４号公報
【発明の開示】
【発明が解決しようとする課題】
【０００４】
本発明は上述の点に鑑みてなされたものでありその目的は、回転体に対するつまみの取付強度を強くでき、これによってつまみが回転体から外れるのを確実に防止でき、またつまみを操作した際のがたつきを防止でき、つまみの大型化に十分対応でき、さらに回転体へのつまみの取付作業が容易な回転式電子部品及びその組立方法を提供することにある。
【課題を解決するための手段】
【０００５】
本願請求項１に記載の発明は、取付部材と、前記取付部材に対して回転自在に設置される回転体と、前記回転体と取付部材の上部に設置され前記回転体と一体に回転するつまみと、回転体と取付部材の間に設置され回転体の回転に伴なってその電気的出力を変化する電気的機能部と、を有し、前記回転体の両面から一対の回転軸を突出して一方の回転軸を取付部材に回動自在に軸支し、且つこれら一対の回転軸に設けた取付部をそれぞれ前記つまみに設けた一対の係合部に係合することでつまみと回転体とを一体化することを特徴とする回転式電子部品にある。
【０００６】
本願請求項２に記載の発明は、前記つまみは、前記取付部材及び回転体の上部に位置するつまみ本体部と、つまみ本体部の両側部に設けられる一対のつまみ支持部とを具備し、前記つまみ支持部に前記係合部を設け、前記回転体の一対の回転軸の端部に設けた取付部に前記つまみの一対の係合部を前記つまみ支持部を撓ませることでスナップイン係合してつまみと回転体とを一体化することを特徴とする請求項１に記載の回転式電子部品にある。
【０００７】
本願請求項３に記載の発明は、前記取付部は突起であってその先端面を前記つまみから離れる方向に向かって外方に広がるテーパ面とし、一方前記係合部は前記取付部を係合する凹部又は開口であることを特徴とする請求項２に記載の回転式電子部品にある。
【０００８】
本願請求項４に記載の発明は、前記取付部と係合部は、これら取付部と係合部をスナップイン係合していく方向に向かって縦長形状に形成されていることを特徴とする請求項３に記載の回転式電子部品にある。
【０００９】
本願請求項５に記載の発明は、前記回転体には、この回転体を中立位置に自動復帰させるコイルスプリングを内蔵したことを特徴とする請求項１乃至４の内の何れかに記載の回転式電子部品にある。
【００１０】
本願請求項６に記載の発明は、前記コイルスプリングは、前記回転体の電気的機能部を取り付けた面の裏面側に設けた収納部内に収納され、且つ回転体の収納部を設けた面上に設置される押え部材によって収納部から抜け出ないように押えられ、前記取付部材には前記回転体の外周の外側を通して前記押え部材側に向かって突出して前記押え部材に先端が固定される押え部材固定部が設けられていることを特徴とする請求項５に記載の回転式電子部品にある。
【００１１】
本願請求項７に記載の発明は、前記押え部材固定部には、前記回転体に設けたストッパ当接面に当接させて回転体の回転範囲を規制するストッパ当接部が設けられていることを特徴とする請求項６に記載の回転式電子部品にある。
【００１２】
本願請求項８に記載の発明は、前記回転体の外周面とこの外周面に対向する前記つまみの面との間に、回転体とつまみの回転方向への力に対して両者間を係止する係止部を設けたことを特徴とする請求項１乃至７の内の何れかに記載の回転式電子部品にある。
【００１３】
本願請求項９に記載の発明は、前記係止部は、回転体の上からつまみを被せるように接近して一体化する際に、係止する凹凸によって形成されていることを特徴とする請求項８に記載の回転式電子部品にある。
【００１４】
本願請求項１０に記載の発明は、回転体の両面から突出する一対の回転軸の内の一方の回転軸を取付部材に回動自在に軸支することでこの取付部材に対して回転体を回転自在に設置し、その際同時に回転体と取付部材の間に回転体の回転に伴なってその電気的出力を変化する電気的機能部を設置する工程と、前記取付部材及び回転体の上部に位置するつまみ本体部と、つまみ本体部の両側部に設けられる一対のつまみ支持部とを具備するつまみを用意し、このつまみの前記つまみ支持部に設けた係合部を、前記回転体の一対の回転軸の端部に設けた取付部に、前記つまみ支持部を撓ませることでスナップイン係合してつまみと回転体とを一体化すると同時に、前記回転体の外周面とこの外周面に対向する前記つまみの面との間にそれぞれ設けた係止部を係合させることで回転体とつまみの回転方向への力に対して両者間を係止する工程と、を有することを特徴とする回転式電子部品の組立方法にある。
【発明の効果】
【００１５】
請求項１に記載の発明によれば、つまみと回転体とを２ヶ所で係合して固定するのでその取付強度が強くなるばかりか、固定位置が回転体の両面側なので力のバランスが良くなり、これらのことからつまみが回転体から外れたり、ぐらついたりする恐れがなくなる。
【００１６】
請求項２，３に記載の発明によれば、つまみをスナップイン係合によって、容易に回転体に取り付けることが可能となる。
【００１７】
請求項４に記載の発明によれば、取付部と係合部が縦長形状なので、両者の係合が強固になると同時に、取付部に設けるテーパ面を縦長で長い分、緩やかな傾斜にでき、スナップイン係合がより容易に行えるようになる。
【００１８】
請求項５に記載の発明によれば、この回転式電子部品に容易に中立位置自動復帰機構を設けることができる。
【００１９】
請求項６に記載の発明によれば、押え部材の取り付けが容易に行えるようになる。
【００２０】
請求項７に記載の発明によれば、取付部材に設けた押え部材固定部にストッパー機能を兼用させたので、構造の簡素化が図れる。
【００２１】
請求項８に記載の発明によれば、回転体とつまみの回転方向の係止がさらに強固になり、つまみのがたつきを確実に防止でき、確実なつまみと回転体の一体化が図れる。
【００２２】
請求項９に記載の発明によれば、回転体とつまみ間の係止部の係止・一体化が、回転体の上からつまみを被せるように接近するだけで容易に行えるようになる。
【００２３】
請求項１０に記載の発明によれば、回転体の一対の回転軸に設けた取付部へのつまみの係合部の係合と、回転体とつまみに設けた係止部同士の係合とが同時に行えるので、その組立作業が容易になる。
【発明を実施するための最良の形態】
【００２４】
以下、本発明の実施形態を図面に基づいて詳細に説明する。
図１は本発明を適用してなる回転式電子部品１の側断面図、図２は回転式電子部品１の分解斜視図である。両図に示すように回転式電子部品１は、回路基板（以下この実施形態では「フレキシブル回路基板」という）１０を取り付けた取付部材３０と、取付部材３０に対して回転自在に設置される回転体６０と、回転体６０に内蔵され回転体６０を中立位置に自動復帰させるコイルスプリング９０と、回転体６０の収納部６９に収納したコイルスプリング９０の抜けを防止する押え部材１００と、回路基板（以下この実施形態では「第２フレキシブル回路基板」という）１４０を載置した取付台１２０と、取付部材３０を取付台１２０に取り付ける固定部材１５０と、回転体６０と取付部材３０の上部に設置され回転体６０と一体に回転するつまみ２００と、を具備して構成されている。以下各構成部品について説明する。
【００２５】
図３はフレキシブル回路基板１０を取り付けた取付部材３０を示す斜視図である。同図に示すようにフレキシブル回路基板１０は、機能パターン部１１と端子パターン部１３とを設けて構成されている。機能パターン部１１の表面には円弧状の摺接パターン１５が設けられ、端子パターン部１３には端子パターン１７が設けられ、摺接パターン１５と端子パターン１７間は接続パターン１９によって接続されている。なお摺接パターン１５はスイッチパターンであっても良いし、抵抗体パターンであっても良く、さらにそれら以外の機能を有するパターンであっても良い。端子パターン部１３の両側辺には下記する固定部材１５０の取付片１５３を係合する凹状の係合部２１が設けられている。機能パターン部１１の中央（回転体６０の回転中心軸部分）には下記する回転体６０の回転軸６１を通す円形の貫通孔２３が設けられている。
【００２６】
取付部材３０は成形樹脂を略半円板状に成形してなる電子部品取付部３１と、電子部品取付部３１を略Ｌ字状に屈曲することで回転体６０から離れる方向（後方）に伸びる圧接接続部３５とを一体成形して構成されている。電子部品取付部３１は、フレキシブル回路基板１０の機能パターン部１１の周囲と背面とを囲むように成形されている。電子部品取付部３１の上部中央と下部両端には、それぞれ下記する回転体６０の外周の外側を通して押え部材１００側に向かって棒状に突出する押え部材固定部３７，３９，４１が設けられている。各押え部材固定部３７，３９，４１の先端には熱カシメによって下記する押え部材１００を固定する小突起状の固定部４３が設けられている。電子部品取付部３１の下部両端に設けた押え部材固定部３７，４１の上面は下記するコイルスプリング９０から半径方向外側に向かって引き出される引出部９３を当接する引出部当接部３７ａ，４１ａとなっている。また電子部品取付部３１の上部中央に設けた押え部材固定部３９の左右両側面は下記する回転体６０のストッパ当接面７９を当接するストッパ当接部３９ａとなっている。また電子部品取付部３１中央の前記フレキシブル回路基板１０の貫通孔２３を設けた位置にはこの貫通孔２３の内径寸法と同一内径寸法であって下記する回転体６０の回転軸６１を回転自在に軸支する円形の貫通孔４５が設けられている。一方圧接接続部３５は平板状であって、その両側辺には下記する固定部材１５０の取付片１５３を係合する凹状の取付片挿入部４７が設けられている。
【００２７】
回転体６０は略円板状の合成樹脂成形品であり、その両面中央から一対の回転軸６１，６３を突出し、その一方の面（取付部材３０側の面）を摺動子取付面６５とし、他方の面に収納部６９を設けている。両回転軸６１，６３の先端面には、それぞれ下記するつまみ２００の一対の係合部２１５に係合される取付部６７が設けられている。取付部６７は回転軸６１，６３の先端面から上下に帯状（直線状）に伸びる平板状の突起であり、平板状のその突起先端面は、つまみ２００から離れる方向に従って外方に広がるテーパ面６８となっている。つまり取付部６７は下記する係合部２１５にスナップイン係合していく方向に向かって縦長形状に形成されている。収納部６９は回転軸６３の周囲を囲むリング形状の凹部によって構成されており、その半径方向外側に向けて一対の切り欠き状の引出部挿通部７１を設けている。一対の引出部挿通部７１の下側の面はそれぞれ当接部７３となっている。摺動子取付面６５には図１に示すように下記する摺動子８５の取付部８７に挿入される小突起状の固定部７５が突設されている。
【００２８】
次に回転体６０の外周面の上部中央にはこの外周部分を凹状に窪ませて前記取付部材３０の押え部材固定部３９を挿通する挿通部７７が設けられ、挿通部７７の左右両内側面をストッパ当接面７９としている。回転体６０の外周面の前記挿通部７７の両側部分、即ち回転体６０の外周面の上部中央から左右に等間隔の位置には、それぞれ２本の突起８１を円周方向に連続して設けることで突起８１の間に凹状の係止部８３を設けている。突起８１は何れも先端に向けて細くなる爪状に形成され、これによって係止部８３は外方に向かってその幅が広くなっていく形状に形成される。
【００２９】
図１に示す摺動子８５は弾性金属板を略リング状に形成して構成されており、その上下部分２ヶ所に孔からなる取付部８７を設け、またその所定位置に摺接部８９を設けている。図２に示すコイルスプリング（以下この実施形態では「ねじりコイルスプリング」という）９０は線材をコイル状に巻き回したコイル部９１の両端から引出部９３を引き出して構成されている。このねじりコイルスプリング９０は両引出部９３を上方向に移動することでコイル部９１の内径が小さくなって絞られる方向になるように巻き回されている。
【００３０】
押え部材１００は成形樹脂を略半円形の板状であって、前記回転体６０の収納部６９を塞ぐ外形寸法に形成されており、その中央には前記回転体６０の回転軸６３を回動自在に軸支しながら挿入する円形の貫通孔からなる挿入部１０１が設けられ、またその外周の下部両端と上部中央からは半径方向外側に向けて舌片状に突出する取付部１０３が設けられ、各取付部１０３には前記取付部材３０に設けた固定部４３を挿入する挿入固定部１０５が設けられている。
【００３１】
つまみ２００は合成樹脂の成形品であり、半円筒形状であって前記取付部材３０及び回転体６０の上部に位置するつまみ本体部２０１と、つまみ本体部２０１の両側部から前記取付部材３０及び回転体６０側に向かう（つまみ本体部２０１の両側部を覆う）一対のつまみ支持部２１１とを具備して構成されている。つまみ本体部２０１の上面中央には長手方向（つまみ２００の回転軸方向）に向かって延びる長尺の操作部２０３が突出して形成され、またその下面（回転体６０の外周面に対向する側の面）には、前記回転体６０に設けた一対の係止部８３にそれぞれ係合する一対の係止部２０５が設けられている。係止部２０５は、略三角形状に突出する一本の爪状の突起によって構成され、前記回転体６０に設けた凹状の係止部８３にぴったり係合する寸法形状に形成されている。言い換えれば両係止部８３，２０５は、回転体６０の外周面とこの外周面に対向するつまみ２００の面との間を、回転体６０とつまみ２００の回転方向への力に対して両者間を係止する形状に形成され、更に具体的に言えば、回転体６０の上からつまみ２００を被せるように接近して一体化する際に、両者が係合する凹凸形状に形成されている。一方つまみ支持部２１１は平板状（略半円板状）であって、半円筒形状のつまみ本体部２０１の両側面を塞ぐと共に、その下辺中央から舌片状に突出する取付部２１３を設け、取付部２１３の中央上部に縦方向に帯状（直線状）に延びる矩形状の貫通孔からなる係合部２１５を設け、また一対の取付部２１３の対向する内側の面の下部に下方向に向かって両面間が広がっていくテーパ面２１７を設けている。このようにつまみ支持部２１１に舌片状の取付部２１３を設けることで、つまみ支持部２１１がその面に垂直な方向に向かって所定の弾性を有して撓む（撓み易い）構造にするとともに、前記係合部２１５を前記つまみ支持部２１１中に設けることで、前記回転体６０の一対の回転軸６１，６３の端部に設けた取付部６７に前記つまみ２００の一対の係合部２１５を前記つまみ支持部２１１を撓ませることでスナップイン係合させてつまみ２００と回転体６０とを一体化する構造としている。
【００３２】
固定部材１５０は金属板製であり、前記取付部材３０の圧接接続部３５の上面をほぼ覆う矩形状の押え部１５１と、押え部１５１の両側辺から２本ずつ突出して下方向に屈曲される舌片状の取付片１５３とを具備して構成されている。各取付片１５３は前記圧接接続部３５の各取付片挿入部４７に対向する位置に形成されている。
【００３３】
第２フレキシブル回路基板１４０は、可撓性を有する合成樹脂フイルム上に３つの端子パターン１４１を設け、各端子パターン１４１から引き出した引出パターン１４３をこの第２フレキシブル回路基板１４０の引出部１４５に導出している。第２フレキシブル回路基板１４０の先端側の一辺には２つの凹状の係合部１４７が設けられ、また各端子パターン１４１を形成した部分よりも引出部１４５を引き出す側の部分にも２つの貫通孔からなる係合部１４７が設けられている。
【００３４】
取付台１２０は合成樹脂を略矩形状に成形して構成されており、その前方側は電子部品載置部１２１、後方側は基板圧接部１２３となっている。基板圧接部１２３の略中央には矩形状で凹状の弾発手段収納部１２５が設けられ、また基板圧接部１２３の両側辺にはそれぞれ２つずつの凹状の係合部１２７が設けられている。また弾発手段収納部１２５内に収納される弾発手段１３０は弾性金属板製であり、略矩形状の基部１３１の長手方向の一側辺から３本の弾発片１３３を突出して上方向に折り曲げ、それぞれの先端に上方向に突出する弾発部１３５を形成して構成されている。
【００３５】
次に回転式電子部品１の組立方法を説明すると、まず予め回転体６０の摺動子取付面６５に摺動子８５を当接し、その際回転体６０に設けた固定部７５（図１参照）を摺動子８５に設けた取付部８７（図１参照）に挿入してその先端を熱カシメすることで固定する。次に回転体６０を取付部材３０に取り付けたフレキシブル回路基板１０の機能パターン部１１の表面上に設置し、その際フレキシブル回路基板１０及び取付部材３０の貫通孔２３，４５に回転体６０の一方の回転軸６１を回動自在に挿入する。次に回転体６０の収納部６９内にねじりコイルスプリング９０のコイル部９１を収納して両端の引出部９３をそれぞれ回転体６０の引出部挿通部７１に挿入し、当接部７３に弾接させ（このとき引出部９３の先端は引出部挿通部７１からその外方に突出し、取付部材３０の引出部当接部３７ａ，４１ａ上に弾接している）、その上（回転体６０の収納部６９を設けた面上）に押え部材１００を設置して被せ、押え部材１００の挿入部１０１に回転体６０の回転軸６３を挿入して回動自在に軸支し、このとき同時に押え部材１００の各挿入固定部１０５に取付部材３０の各固定部４３を挿入してその先端を熱カシメして固定する。これによって回転体６０の回転軸６１，６３はそれぞれ回転体６０の両側において取付部材３０と押え部材１００に軸支される。また押え部材１００を取り付けることで、取付部材３０から回転体６０は外れず、且つ回転体６０の収納部６７からねじりコイルスプリング９０が抜け出ない。このとき摺動子８５の摺接部８９は機能パターン部１１の摺接パターン１５上に当接している。そして取付部材３０と回転体６０の上につまみ２００を被せるように設置することで、回転体６０の一対の回転軸６１，６３の取付部６７をつまみ２００に設けた一対の係合部２１５に係止することでつまみ２００と回転体６０とを一体化する。つまみ２００を回転体６０に取り付ける際、図１に示すつまみ２００のテーパ面２１７に取付部６７のテーパ面６８が当接してつまみ２００の両つまみ支持部２１１（特に取付部２１３の部分）が広がるように撓みながら、両取付部６７が両係合部２１５にいわゆるスナップイン係合によって容易に係合し、つまみ２００が回転体６０に一体に固定される。このとき同時に、つまみ２００に設けた一対の係止部２０５が回転体６０に設けた一対の係止部８３に係合し、両者は回転方向の力に対して係止（固定）される（図４参照）。取付部６７と係合部２１５とは縦長形状なので、両者は回転方向に対して強固に係合されると同時に、取付部６７と係合部２１５とが縦長形状なので、テーパ面６８の長さを長くでき、その分テーパ面６８の傾斜角度を緩くでき、スナップイン係合がより容易にスムーズに行える。即ちこの実施形態においては、回転体６０の両面から突出する一対の回転軸６１，６３の内の一方の回転軸６１を取付部材３０に回動自在に軸支することで取付部材３０に対して回転体６０を回転自在に設置し、その際同時に回転体６０と取付部材３０の間に回転体６０の回転に伴なってその電気的出力を変化する電気的機能部（摺動子８５等）を設置する工程と、取付部材３０及び回転体６０の上部に位置するつまみ本体部２０１と、つまみ本体部２０１の両側部に設けられる一対のつまみ支持部２１１とを具備するつまみ２００を用意し、つまみ２００のつまみ支持部２１１に設けた係合部２１５を、回転体６０の一対の回転軸６１，６３の端部に設けた取付部６７に、つまみ支持部２１１を撓ませることでスナップイン係合してつまみ２００と回転体６０とを一体化すると同時に、回転体６０の外周面とこの外周面に対向するつまみ２００の面との間にそれぞれ設けた係止部８３，２０５を係合させることで回転体６０とつまみ２００の回転方向への力に対して両者間を係止する工程と、を有するので、取付部６７への係合部２１５の係合と、係止部８３，２０５同士の係合とが同時に行え、その組立作業が容易になる。
【００３６】
次に取付台１２０の弾発手段収納部１２５内に弾発手段１３０を収納した上で、その上に端子パターン１４１を上向きとした第２フレキシブル回路基板１４０を載置する。次に取付部材３０に取り付けたフレキシブル回路基板１０の端子パターン部１３を図２に示すように取付部材３０の圧接接続部３５の下面側に折り曲げて、前記第２フレキシブル回路基板１４０上に載置する。そして前記圧接接続部３５の上面に固定部材１５０の押え部１５１を載置し、その際固定部材１５０の取付片１５３を圧接接続部３５の取付片挿入部４７と端子パターン部１３の係合部２１と第２フレキシブル回路基板１４０の係合部１４７と取付台１２０の係合部１２７とに係合し、取付片１５３の先端を取付台１２０の裏面に折り曲げ、これによって取付部材３０を取付台１２０に固定すると同時に、取付台１２０上に載置した第２フレキシブル回路基板１４０の各端子パターン１４１とフレキシブル回路基板１０の各端子パターン１７とを圧接接続部３５の下面と弾発手段１３０の弾発部１３５とによって圧接接続する。即ち取付部材３０の電子部品取付部３１に取り付けたフレキシブル回路基板１０と第２フレキシブル回路基板１４０との挟持を、電子部品取付部３１から屈曲して電子部品取付部３１の後方の位置にある圧接接続部３５で行っている。
【００３７】
図４，図５は以上のようにして組み立てられた回転式電子部品１の動作説明図（但し、押え部材１００や取付台１２０等の記載は省略）である。そして回転体６０が中立位置にあるときは、ねじりコイルスプリング９０の両引出部９３は回転体６０の当接部７３と取付部材３０の引出部当接部３７ａ，４１ａに弾接している。中立状態で２つのストッパ当接面７９がなす角度の約半分の角度の位置に押え部材固定部３９の中心が位置している。
【００３８】
そして例えばつまみ２００を図４に示す矢印Ａ方向に回転すれば、回転体６０及びつまみ２００全体が矢印Ａ方向に回転し、摺動子８５の摺接部８９がフレキシブル回路基板１０の摺接パターン１５上を摺動してその出力を変化する。その際ねじりコイルスプリング９０の左側の引出部９３は元の位置に保持されたまま右側の引出部９３が当接部７３によって押し上げられて図５の状態となる。そしてつまみ２００の回動を解除すれば、ねじりコイルスプリング９０の弾発復帰力によって回転体６０は元の図４の状態に自動復帰する。なお回転体６０の回転角度は回転体６０のストッパ当接面７９に取付部材６０のストッパ当接部３９ａが当接することで規制される。
【００３９】
上記図１に示す回転式電子部品１において、つまみ２００は回転体６０に対して比較的大きな寸法を有している。このためもし従来のように回転体６０の外周面上部の一点につまみ２００を取り付けると、その取付強度が弱く、回転体６０から容易につまみ２００が外れたり、またつまみ２００がぐらついたりする恐れがある。これに対して本願の回転式電子部品１は、回転体６０の両面から突出する一対の回転軸６１，６３に設けた取付部６７をそれぞれつまみ２００に設けた一対の係合部２１５に係合することでつまみ２００と回転体６０とを一体化するので、つまみ２００と回転体６０の固定部分が２ヶ所となるばかりか、固定位置が回転軸６１，６３両側の力のバランスの良い部分となるので、その取付強度が強くなり、回転体６０からつまみ２００が外れたり、つまみ２００がぐらついたりする恐れがなくなる。特にこの実施形態においては、回転体６０の両側の２つの回転軸６１，６３がそれぞれ取付部材３０と押え部材１００に軸支されているので、回転体３０の軸支が確実で、ぐらつき等は生じない。さらにこの実施形態においては、つまみ２００に設けた一対の係止部２０５が回転体６０に設けた一対の係止部８３に係止され、両者は回転方向の力に対して固定されるので、つまみ２００はこれを回転する際に回転体６０の回転軸６１，６３部分のみでなく回転体６０の外周部分においても固定され、つまみ２００の回転時のがたつきを防止でき、確実なつまみ２００と回転体６０の一体化が図れる。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。上記実施形態ではフレキシブル回路基板１０に設けた摺接パターン１５とこれに摺接する摺動子８５とによって電気的機能部を構成したが、電気的機能部は他の各種構成であっても良い。要は回転体６０と取付部材３０の間に設置され回転体６０の回転に伴なってその電気的出力が変化する電気的機能部であればどのような構成であっても良い。なお上記実施形態において用いた第２フレキシブル回路基板１４０と取付台１２０と固定部材１５０とは必ずしも必要なく、省略してもよい。要は本発明にかかる回転式電子部品は、取付部材と、取付部材に対して回転自在に設置される回転体と、回転体と取付部材の上部に設置され前記回転体と一体に回転するつまみと、回転体と取付部材の間に設置され回転体の回転に伴なってその電気的出力を変化する電気的機能部と、を有するものであればよい。また係止部８３，２０５の形状が上記実施形態に限定されないことは言うまでもなく、要は回転体６０の外周面とこの外周面に対向するつまみ２００の面との間をその回転方向への力に対して係止する形状であればどのような形状であっても良い。なお上記実施形態によれば、回転体６０の取付部６７とつまみ２００の係合部２１５とによって回転体６０とつまみ２００とを係合すると同時に、回転体６０の係止部８３とつまみ２００の係止部２０５とによって回転体６０とつまみ２００とを係止したので、回転体６０とつまみ２００の一体化が確実に図られるが、場合によっては取付部６７と係合部２１５とによる係合、または係止部８３と係止部２０５による係止の何れか一方のみを単独で回転式電子部品に適用してもよい。また上記実施形態においては、回転体６０へのつまみ２００の係合を、回転軸６１，６３に設けた取付部６７をつまみ２００に設けた係合部２１５にスナップイン係合することによって行ったが、スナップインによらないで取付部６７を係合部２１５に係合（固定）しても良い（例えば係合部２１５に挿入してその反対側から突出した取付部６７先端を熱カシメすることによって係合しても良い）。要は一対の回転軸に設けた取付部をそれぞれつまみに設けた一対の係合部に係合することでつまみと回転体とを一体化するものであればどのような係合手段であっても良い。
【図面の簡単な説明】
【００４１】
【図１】回転式電子部品１の側断面図である。
【図２】回転式電子部品１の分解斜視図である。
【図３】フレキシブル回路基板１０を取り付けた取付部材３０を示す斜視図である。
【図４】回転式電子部品１の動作説明図である。
【図５】回転式電子部品１の動作説明図である。
【符号の説明】
【００４２】
１  回転式電子部品
１０  フレキシブル回路基板（回路基板）
１５  摺接パターン（電気的機能部）
３０  取付部材
３７，３９，４１  押え部材固定部
３７ａ，４１ａ  引出部当接部
６０  回転体
６１，６３  回転軸
６７  取付部
６９  収納部
８１  突起
８３  係止部
８５  摺動子（電気的機能部）
９０  コイルスプリング
９１  コイル部
９３  引出部
１００  押え部材
１２０  取付台
１４０  第２フレキシブル回路基板（回路基板）
１５０  固定部材
２００  つまみ
２０１  つまみ本体部
２０５  係止部
２１１  つまみ支持部
２１５  係合部
【図１】
2007059500.tif 000003
【図２】
2007059500.tif 000004
【図３】
2007059500.tif 000005
【図４】
2007059500.tif 000006
【図５】
2007059500.tif 000007